(57)【特許請求の範囲】
【請求項１】
複数の天板を集合させてより広い天板面として利用しうるものであって、互いの天板の縁辺同士を密着させるように集合させたときに、各天板の縁辺部に設けられた上下方向を向く壁状部同士の間に、上下方向を向き外側方が略閉塞された筒状空間が上方に開口した状態で天板上面ないし天板下面から床面に亘って形成され、
前記壁状部が天板下面から床面に至って天板を支持する脚であり、この脚の下端部同士の間が、当該脚に対して着脱可能に構成されて内部に配線空間を有するベースを介して接続され、ベースの配線空間が脚によって筒状空間が形成される部位に開口し、
前記ベースが、天板中央部の下方に位置する基幹部ケーブルカバーと、この基幹部ケーブルカバーと各脚の下端部との間を接続する分岐部ケーブルカバーとを具備する組み立て分解可能なものであることを特徴とするテーブルシステム。
【請求項２】
天板のコーナー部に配置されている脚を利用している請求項１記載のテーブルシステム。
【請求項３】
各天板を支持する複数の脚全てが壁状部として機能し得るように構成され、何れの脚においても前記筒状空間が形成され得るようにしている請求項１又は２記載のテーブルシステム。
【請求項４】
天板の縁辺同士を密着させた状態で、脚の端縁同士が上下方向に沿って密着する構造をなす請求項１〜３の何れかに記載のテーブルシステム。
【請求項５】
脚は平面視において外向き凹状をなす請求項１〜４の何れかに記載のテーブルシステム。
【請求項６】
天板の上面と脚の外面とが滑らかに連続した形態をなす請求項１〜５の何れかに記載のテーブルシステム。
【請求項７】
基幹部ケーブルカバーおよび分岐部ケーブルカバーは、下向きに開く樋状をなす請求項１〜６の何れかに記載のテーブルシステム。
【請求項８】
請求項１〜７の何れかに記載のテーブルシステムを構成すべく、天板の縁辺部に、互いに集まることによって筒状となる壁状部を有していることを特徴とするテーブル。
【発明の詳細な説明】
【技術分野】
【０００１】
本発明は、ミーティングテーブル等として特に好適に利用可能なテーブルシステム及びこれを構成するテーブルに関するものである。
【背景技術】
【０００２】
近時におけるデスクワークは、机上でコンピュータや周辺機器を扱うことが日常的となっている。これに伴いデスクには、配線を内部に挿し通すことができる脚構造を採用したり、幕板の前面に配線ダクトを取り付けるなどして、床から立ち上げた電源ケーブルや情報ケーブル等の配線を天板下まで導くようにしたり、天板の一部に上下方向に貫通する配線取出口を設けて天板上のコンピュータ等からの配線を天板下に落とし込めるようにするなど、様々な配線機能を備えたものが開発されている（例えば特許文献１、２参照）。
【先行技術文献】
【特許文献】
【０００３】
【特許文献１】実開昭６３−１１０２２９号公報
【特許文献２】特開２００１−１２８７４７号公報
【発明の概要】
【発明が解決しようとする課題】
【０００４】
ところで、比較的人数の多い会議の席では大型テーブルが使用され、大型テーブル上でパソコンやプロジェクターを使う機会も多い。このような大型テーブルには、当初から天板の中央に配線取出口や配線ダクトが設けられた特殊な構造のものもあるが、旧来の大型テーブルを使用する場合や、単体のミーティングテーブルを突き合わせて大型テーブルとして使用する場合等には、そのような配線機能を備えないのが通例である。このような場合に、多数人がテーブルの回りに着座すると、各着座者が適宜周辺の電源コンセントや情報コンセントに電源ケーブルやＬＡＮケーブルを接続する必要があり、テーブルの周囲からケーブル類がだらしなく垂れ下がり、足下で絡まったりするなど、ケーブルの取り回しに苦労するシーンが日常的に見受けられる。
【０００５】
本発明は、単体のテーブルを突き合わせて大型テーブルを構成する態様に着目し、その個々のテーブルに若干の改良を加えるだけで、専用の大型テーブルを用いずとも突き合わせるだけで大型テーブルの所要箇所に配線機能が形成されるようにした新規有用なテーブルシステムを、これを構成するテーブルとともに提供することを目的としている。
【課題を解決するための手段】
【０００６】
本発明は、かかる目的を達成するために、次のような手段を講じたものである。
【０００７】
すなわち、本発明のテーブルシステムは、複数の天板を集合させてより広い天板面として利用しうるものであって、互いの天板の縁辺同士を密着させるように集合させたときに、各天板の縁辺部に設けられた上下方向を向く壁状部同士の間に、上下方向を向き外側方が略閉塞された筒状空間が上方に開口した状態で天板上面ないし天板下面から床面に亘って形成され、前記壁状部が天板下面から床面に至って天板を支持する脚であり、この脚の下端部同士の間が、当該脚に対して着脱可能に構成されて内部に配線空間を有するベースを介して接続され、ベースの配線空間が脚によって筒状空間が形成される部位に開口し、前記ベースが、天板中央部の下方に位置する基幹部ケーブルカバーと、この基幹部ケーブルカバーと各脚の下端部との間を接続する分岐部ケーブルカバーとを具備する組み立て分解可能なものであることを特徴とする。
【０００８】
天板の縁辺とは、天板の周辺をいう。また、縁辺部とは、天板の縁辺付近にある部位をいう。
【０００９】
このようなものであると、天板を集合させることによって新たに形成されるより広い天板面には、特に好ましい中央部に筒状空間が開口することになる。このため、この筒状空間に上方から配線等を落とし込むことができる。したがって、大型天板の周囲から配線が垂れ下がった状態で引き回される不具合を解消して、外観を良好に保ち、また、着座者の足に配線が引っ掛かる不都合を的確に解消することが可能となる。勿論、このような筒状空間は、例えばオプション部材を支持する支持杆の固定場所等としても利用が可能である。
【００１０】
また、筒状空間は、上方に開口した状態で天板上面ないし天板下面から床面に亘って形成されていることから、落とし込んだ配線等を、必要に応じて床面までバラけさせずに適切に導くことができ、外観を一層良好に保って、着座者の足と配線等との干渉の問題もより確実に解消することができる。
【００１１】
また、前記壁状部は、天板下面から床面に至って天板を支持する脚であることから、別途に壁状部として機能する新たな部材を導入することを回避することができる。しかも、天板を集合させるだけでかかる筒状空間が形成され、天板を引き離せば筒状空間が解除されるので、テーブルを離合集散させるだけで別段の作業を不要にすることができる。
【００１２】
一方、脚の下端部同士の間が、内部に配線空間を有するベースを介して接続され、ベースの配線空間が脚によって筒状空間が形成される部位に開口しているように構成されることから、筒状空間がベースの配線空間に連続し、脚からベース内に配線を引き回すことができるようになる。そのため、脚から脚への配線の受け渡しもベース内を通して行うことができて足下の配線をすっきりした状態で収めることが可能となり、足下における配線処理の便を向上させることができる。
【００１３】
また、ベースが、脚に対して着脱可能に構成されていることから、単体のテーブルとして使用するときにはベースを撤去し、大型テーブルを構成するときには脚間にベースを取り付けるなど、状況に応じた使い勝手を得ることができる。
【００１４】
さらに、ベースが、天板中央部の下方に位置する基幹部ケーブルカバーと、この基幹部ケーブルカバーと各脚の下端部との間を接続する分岐部ケーブルカバーとを具備する組み立て分解可能なものであることから、部品製作や取扱いが容易となり、基幹部ケーブルカバーと分岐部ケーブルカバーの形状の組み合わせを通じてバリエーションの展開も図ることができる。
【００１５】
利用者が着座する際の邪魔にならず、天板から筒状空間へのアクセスも容易とするためには、天板のコーナー部に配置されている脚を利用することが好適である。
【００１６】
この場合、各天板を支持する複数の脚全てが上記のような壁状部として機能する必要は必ずしもないが、天板の突き合わせ方位に自由度をもたせ、天板の拡張に伴って筒状空間も拡張されるようにするためには、各天板を支持する複数の脚全てが壁状部として機能し得るように構成され、何れの脚においても前記筒状空間が形成され得るようにしていることが好ましい。
【００１７】
これらにおいて、配線等に対する収容機能を高めるためには、天板の縁辺同士を密着させた状態で、脚の端縁同士が上下方向に沿って密着する構造をなしていることが望ましい。
【００１８】
筒状空間の内容量を無理なく確保するためには、脚が平面視において外向き凹状をなしていることが好適である。
【００１９】
天板上の配線等を筒状空間に円滑に導くためには、天板の上面と脚の外面とが滑らかに連続した形態をなしていることが望ましい。
【００２０】
ベース内に配線を簡単、適切に収めるためには、基幹部ケーブルカバーおよび分岐部ケーブルカバーが下向きに開く樋状をなしていることが好適である。
【００２１】
以上のようなテーブルシステムを適切に構成でき、単体でもミーティングテーブル等として適切に使用できるテーブル構成としては、テーブルにおける天板の縁辺部に、互いに集まることによって筒状となる壁状部を設けているものが簡便かつ有効である。
【発明の効果】
【００２２】
本発明は、以上説明した構成であるから、天板を集合させてなる天板面の利用し易い中央部に天板の壁状部によって囲まれる筒状空間を形成して、配線を適切な位置にて処理することができるので、配線を見栄え良く隠蔽し、足で配線を引っ掛ける等の不都合も解消して、天板上でパソコンやプロジェクターを使うことの多いミーティングテーブル等として好適に利用可能な、新規有用なテーブルシステムを提供することが可能となる。
【図面の簡単な説明】
【００２３】
【図１】本発明の一実施形態に係るテーブルシステムの全体斜視図。
【図２】同テーブルシステムを構成するテーブルの斜視図。
【図３】同テーブルを構成する脚の一部を示す平断面図。
【図４】図３におけるＩＶ−ＩＶ線断面図。
【図５】同テーブルを構成する脚の下端部を示す縦断面図。
【図６】同テーブルに付随するベースの構成を示す斜視図。
【図７】同ベースを構成するケーブルカバーの横断面図。
【図８】同テーブルのコーナー部を集合させたときの脚の状態を示す平断面図。
【図９】同縦断面図。
【図１０】本発明の変形例を示す図。
【図１１】本発明の他の変形例を示す図。
【図１２】本発明の更に他の変形例を示す図。
【図１３】本発明の上記以外の変形例を示す図。
【図１４】本発明の更に上記以外の変形例を示す図。
【図１５】本発明の更に上記以外の変形例を示す図。
【図１６】本発明の更に上記以外の変形例を示す図。
【発明を実施するための形態】
【００２４】
以下、本発明の一実施形態を、図面を参照して説明する。
【００２５】
この実施形態のテーブルシステムは、図１に示すように、複数のテーブルＴを突き合わせて大型テーブルＬＴを構成し得るものであって、互いの天板１の長縁辺１ａ、１ａ同士、短縁辺１ｂ、１ｂ同士を密着させるように集合させたときに、各天板１の各縁辺１ａ、１ｂ付近すなわち縁辺部にあって本発明の壁状部として機能する脚２、２同士の間に、上下方向を向き外側方が略閉塞された筒状空間ＳＰが形成されるようにしている。
【００２６】
具体的に説明すると、テーブルＴは、図２に示すように、矩形状の天板１の四隅を計４本の脚２に支持させてなるもので、天板１、脚２の素材にはアルミニウムが採用されている。
【００２７】
脚２は、天板１の各コーナー部Ｃに位置していて、図３の平断面で示すように、当該コーナー部Ｃを形成する天板１の直交する各縁辺（長縁辺１ａ、短縁辺１ｂ）に対して１３５°の方向を向いて配置され、平断面が外向き凹状に湾曲した１／４円弧をなしているもので、特に外面２ａが本発明の壁状部として機能する。図３におけるＩＶ−ＩＶ線断面図である図４に示すように、コーナー部Ｃにおける天板１と脚２との境界部Ｘにおいて、天板１の上面１ｃから脚２の外面２ａまでは緩やかに湾曲しながら連続しており、天板１の下面１ｄから脚２の内面２ｂまでも緩やかに湾曲しながら連続している。
【００２８】
図３に示す脚２の端縁（エッジ）２ｃは、天板１のコーナー部Ｃを挟む２つの縁辺１ａ、１ｂの延長線上にあり、２つの縁辺１ａ、１ｂのなす内角が９０°であるのと同様、２つの端縁２ｃ、２ｃのなす内角も９０°とされている。このように、天板１と脚２は境目が視認されない程度に渾然一体をなしており、脚２の外面２ａの外側に位置する凹み空間ＳＦは天板１によって塞がれずに、上方に開放されている。
【００２９】
天板１と脚２との境界部Ｘから下方において、脚２は図５に示すように外向き凹状の等断面を保ったまま鉛直に降下して下端部に向かって延びており、下端部は外向き凹状から下向き凹状に自然に向きを変えながら天板１の中央部側に湾曲して、下向き凹状の部分が床Ｆへの接地部２ｄをなしている。すなわち、壁状部である脚２は、天板１の上面１ｃないし下面１ｄから床面Ｆに亘って存在して、天板１を支持している。
【００３０】
そして、このテーブルＴは、天板１を支持する各脚２の下端部同士の間を、図５及び図６に示すように、内部に配線空間ＳＣを有するベース４を介して着脱可能に接続するようにしている。
【００３１】
ベース４は、天板１の中央部の下方に位置する基幹部ケーブルカバー４１と、この基幹部ケーブルカバー４１と各脚２との間を接続する分岐部ケーブルカバー４２とを具備する組み立て分解可能なもので、基幹部ケーブルカバー４１と分岐部ケーブルカバー４２の間は更にＹ字状のジョイント部ケーブルカバー４３によって接続されている。これらのケーブルカバー４１、４２、４３は、図７に示すように横断面が等しく下向きに開く樋状のもので、天板１や脚２と同様の素材すなわちアルミニウムで構成されていて、床Ｆ上に敷設されることにより、図５に例示するように床Ｆとの間に内部の配線空間ＳＣを閉じることができるものである。図５及び図６においてケーブルカバー４１、４２同士、ケーブルカバー４２、４３同士の具体的な嵌め合い構造や、分岐部ケールブカバー４１と脚２の下端部との具体的な嵌め合い構造等については省略している。
【００３２】
そして、このようなテーブルＴを複数（例えば４台）用意し、図１に示したように、天板１の長縁辺１ａ、１ａ同士、短縁辺１ｂ、１ｂ同士を密着させつつ所定の集合点Ｐの周囲に各天板１のコーナー部Ｃ、Ｃ同士が集まるように天板１を集合させて大型テーブルＬＴを構成した場合に、各天板１の縁辺部に位置して上下方向を向く壁状部たる脚２，２同士の間に、上下方向を向き外側方が略閉塞された筒状空間ＳＰが形成されるようにしている。
【００３３】
この場合、脚２は平断面１／４円弧をなし、等断面のまま鉛直に降下していることから、天板１の長縁辺１ａ、１ａ同士、短縁辺１ｂ、１ｂ同士をそれぞれ密着させた状態で、壁状部である脚２の端縁２ｃ、２ｃ同士は上下方向に沿って密着した状態となり、脚２の下端側の接地部２ｄで脚２、２同士が開く部分以外は、前記筒状空間ＳＰはほぼ完全に閉じられた状態となる。勿論、脚２が集合したときに断面楕円形の筒状空間ＳＰが形成されるような脚２の形状であっても同様である。
【００３４】
その際、各テーブルＴを支持する複数の脚２全てが外面２ａを主体として本発明の壁状部として機能するので、何れのコーナー部Ｃを集合点Ｐに集合させても上記の筒状空間ＳＰは形成されることとなる。したがって、テーブルＴを突き合わせる際に方位が限定されることはなく、また、図１の大型テーブルＬＴのコーナー部Ｃに位置するテーブルＴの当該コーナー部Ｃを新たな集合点Ｐ´にして更に他のテーブルＴを加えて、その集合点Ｐ´に筒状空間ＳＰを形成することなども可能となっている。
【００３５】
以上のように、本実施形態のテーブルシステムは、複数の天板１を集合させてより広い天板面として利用しうるものであって、互いの天板１の長縁辺１ａ、１ａ同士、短縁辺１ｂ、１ｂ同士を密着させるように集合させたときに、各天板１の１ａ、１ｂの近くの縁辺部に存する上下方向を向く壁状部たる脚２，２同士の間に、上下方向を向き外側方が略閉塞された筒状空間ＳＰが形成されるようにしたものである。
【００３６】
このように、天板１を集合させることによって新たに形成される大型テーブルＬＴのより広い天板面は、特に好ましい中央部に筒状空間ＳＰが開口することになる。このため、図１に示すようにこの筒状空間ＳＰに上方から配線ＣＡ等を落とし込むことができ、大型天板１の周囲から配線ＣＡが垂れ下がった状態で引き回される不都合を有効に解消することが可能となる。したがって、大型天板ＬＴの周囲から配線が垂れ下がった状態で引き回される不具合を解消して、外観を良好に保ち、また、着座者の足に配線が引っ掛かる不都合を的確に解消することが可能となる。
【００３７】
その際、筒状空間ＳＰは、上方に開口した状態で天板１の上面１ｃないし下面１ｄから床面Ｆに亘って形成され、落とし込んだ配線ＣＡ等を、必要に応じて床面Ｆまでバラけさせずに適切に導くことができるので、外観が一層良好となり、着座者の足と配線ＣＡとの干渉の問題もより確実に解消することができる。
【００３８】
そして、このような筒状空間ＳＰを形成するために必要な壁状部に、天板１の下面１ｄから床面Ｆに至り存在して天板１を支持する脚２を利用しているので、別途に壁状部として機能する新たな部材を導入することを回避することができる。しかも、天板１を集合させるだけでかかる筒状空間ＳＰが形成され、天板１を引き離せば筒状空間ＳＰが解除されるので、テーブルＴを離合集散させるだけで別段の作業を不要にすることができる。
【００３９】
また、天板１のコーナー部Ｃに配置された脚を利用することで、脚１が着座者の邪魔にならずに済み、同時に天板１のコーナー部Ｃが集合した位置に筒状空間ＳＰが形成されるので多数の天板１から筒状空間ＳＰにアクセスし易い状態を確保することができる。
【００４０】
特に、本実施形態は、各天板１を支持する複数の脚２全てが壁状部として機能し得るように構成され、何れの脚２においても前記筒状空間ＳＰが形成され得るようにしているので、何れのコーナー部Ｃを集合点Ｐに位置づけるかによって筒状空間ＳＰが形成されたりされなかったりする不都合を無くすことができる。しかも、突き合わせるテーブルＴを増やせば、次々に集合点Ｐ、Ｐ´点の回りに天板面のコーナー部Ｃが集まって筒状空間ＳＰが形成されるので、天板１の拡張に伴って配線機能も拡張されることになり、天板１面積に応じた配線機能を確保することが可能となって、テーブルＴの数、会議の参加者の人数、電源やＬＡＮコネクタの位置など、様々な使用環境にフレキシブルに対応することができるものとなる。
【００４１】
また、天板１の長縁辺１ａ、１ａ同士、短縁辺１ｂ、１ｂ同士を密着させた状態で、脚２の端縁２ｃ、２ｃ同士が上下方向に沿って密着する構造をなしており、筒状空間ＳＰの周囲が隙間なく閉じられるので、配線ＣＡを通過させる場合に、配線ＣＡがこぼれたり、配線ＣＡの一部が外部に露出することを防止して、筒状空間ＳＰとしての機能を有効に高めることができる。
【００４２】
さらに、脚２が平面視において外向き凹状をなしているので、脚２の外面２ａによって囲まれる筒状空間ＳＰの内容量ひいては配線収容量を有効に増やすことが可能となる。
【００４３】
また、天板１の上面１ｃと脚２の外面２ａとが滑らかに連続した形態をなしているので、天板１と脚２との境界が不離一体となって意匠性が高まるとともに、天板１上から筒状空間ＳＰに円滑に配線を導くことができ、エッジ等がないため配線ＣＡを傷つけるおそれも有効に低減することができる。
【００４４】
一方、本実施形態では、脚２の下端部同士の間が、内部に配線空間ＳＣを有するベース４を介して接続され、ベース４の配線空間ＣＡが脚２の凹み空間ＳＦ（筒状空間ＳＰが形成される部位）に開口しているので、集合点Ｐで筒状空間ＳＰがベース４の配線空間ＳＦに連続して、何れの脚２からもベース４内に配線ＣＡを引き回すことができるようになり、脚２から脚２への配線ＣＡの受け渡しもベース４内を通して行うことができて、足下の配線ＣＡをすっきりした状態で収めることが可能となる。また、集合点にないテーブルＴのコーナー部Ｃではベース４の配線空間ＳＣが脚２の凹み空間ＳＦを介して外方に開放されるので、適宜の場所から配線ＣＡを導出することができるようになる。すなわち、テーブルＴの中央部から落とし込んだ配線を自然に大型テーブルＬＴの四隅に誘導することができ、テーブルＴの脚２を伝う配線はベースの中に収められるものとなる。このように、ベース４は植物の根のように延びるため、根が隈なく水分や養分を運ぶように、ベース４が隈なく電源ケーブルやＬＡＮケーブル等の配線を運ぶことになる。
【００４５】
その際、ベース４が、脚２に対して着脱可能に構成されているので、単体のテーブルＴとして使用するときにはベース４を撤去し、大型テーブルＬＴを構成するときには脚２間にベース４を取り付けるなど、状況に応じた使い勝手が得られる。
【００４６】
より具体的に、ベース４は、天板１中央部の下方に位置する基幹部ケーブルカバー４１と、この基幹部ケーブルカバー４１と各脚２の下端部との間を接続する分岐部ケーブルカバー４２とを含んで組み立て分解可能なものであるので、部品製作や取扱いが容易となり、基幹部ケーブルカバー４１と分岐部ケーブルカバー４２の形状の組み合わせを通じてバリエーションの展開も図ることができるようになる。
【００４７】
さらに、基幹部ケーブルカバー４１および分岐部ケーブルカバー４２は、下向きに開く樋状をなしているため、上から被せるだけで配線を隠蔽することができ、配線ＣＡの追加や撤去も容易となり、面倒な配線ＣＡの引き回しも不要にすることができる。
【００４８】
以上のように、このテーブルシステムを構成するテーブルＴは、天板１の縁辺部に、互いに集まることによって筒状となる壁状部として機能する脚２を存在させるだけであるので、単体では簡素なミーティングテーブル等として利用でき、突き合わせれば筒状空間ＳＰを有する大型テーブルＬＴを有効に構成することが可能となる。
【００４９】
なお、各部の具体的な構成は、上述した実施形態のみに限定されるものではない。
【００５０】
例えば、上記実施形態では外向き凹状の脚２の下端部が湾曲しながら下向き凹状の接地部２ｄに連なっていたが、図１０に示すように脚１０２を等断面のまま鉛直に床まで降下させてもよい。この場合、脚１０２の下端部に切欠き等の配線出入口１０２ａを設けておけば、外部への配線ＣＡの引き出し等を不都合なく行うことができ、ベース４の配線空間ＳＣとの接続も無理なく行うことができる。
【００５１】
また、上記実施形態では矩形状のテーブルＴを４個突き合わせた際にコーナー部Ｃが集合する位置に筒状空間ＳＰが形成されるようにしたが、図１１や図１２に示すようにテーブルＴ１、Ｔ２、Ｔ３を３個突き合わせた際にコーナー部Ｃが集合する位置に筒状空間ＳＰが形成されるように構成してもよく、或いは、図示しないがテーブルを５個以上突き合わせた際にコーナー部Ｃが集合する位置に筒状空間ＳＰが形成されるように構成することもできる。
【００５２】
さらに、上記実施形態では、脚２を外向き凹形状として、円弧状のものを採用したが、図１３に示す脚２１０２のように折れ曲がっていてもよく、同図のようなコ字型あるいは図示しないＶ字型のものなどを採用することもできる。脚２の内側には、それらに応じた形状の筒状空間が形成されることになる。
【００５３】
また、必要な筒状空間ＳＰが形成できれば、図１４に示す脚２２０２のように平坦な面であっても構わない。また、上記実施形態のように脚２と天板１は滑らかに渾然一体に連なっている必要は必ずしもなく、例えば図１５に示すように天板３０１に切欠を設けてその内側に脚３０２を、上端が天板の上面と略同一高さとなるように取り付ける態様等によっても実施することが可能である。
【００５４】
さらにまた、上記実施形態では、各テーブルを支持する複数の脚２全てを壁状部として機能させるようにしたが、少なくとも１つの脚が壁状部として機能するようにしておけば、上記実施形態と同様の基本的作用効果を奏することができる。
【００５５】
その他、上記実施形態では壁状部は天板のコーナー部に位置して脚と兼用されていたが、天板の大きさがある程度大きければ、壁状部は天板縁辺の中間に設けることも有効であり、その壁状部は中間脚と兼用させるほか、配線専用の壁状部としておくこともできる。図１６（ａ）は長方形の天板４０１の一部の縁辺に半筒状の壁状部４０２を設けた例であり、図１６（ｂ）は三角形状の天板５０１の各縁辺に壁状部５０２を設けた例である。これらの例にも示されるように、壁状部は必ずしも脚のように天板と床面の双方に接している必要はなく、床まで至らず途中で終わっているものであってもよい。逆に、天板との間に隙間が存在していても構わない。また、壁状部は、天板の縁辺に連続して繋がっていなくても構わない。
【００５６】
図１６（ａ）、（ｂ）のように天板４０１、５０１の縁辺中間部に壁状部４０２、５０２を設ける場合、図１６（ｃ）に示すように、天板下面に着脱可能にすることが望ましい。例えば、長方形天板を複数集合させる場合であれば、長縁辺の中央部又は長縁辺の２箇所程度に中央側への凹みＺを設けておき、その凹みＺの周辺部下面に壁状部４０２等を、ねじや面ファスナー等を用いて簡単に着脱できる構造を採用することが効果的である。テーブルを集合させずに単体で使用する場合等に人が座る縁辺に壁状部が常時固定されていると邪魔であり、天板を集合させた場合にだけ壁状部を取り付けられるようにしておくことが便利だからである。
【００５７】
そして、これらに示したように壁状部を天板の縁辺の中間に設ける構成によっても、天板を集合させた際に上記実施形態と同様に配線を適切に隠蔽することができ、配線が足と干渉すること等も適切に回避することが可能となる。また、このように壁状部が天板の縁辺の中間に設けてあると、それを部屋の壁に沿わせて配置した場合に、壁のコンセントから天板上に配線を適切に導くことも可能になる。
【００５８】
勿論、壁状部が天板のコーナー部に設けてある前記実施形態においても、２台のテーブルを横に並べて壁に沿わせて配置した場合には同様の使い勝手が得られるし、単体であっても壁のコーナー部に位置づければ、壁のコンセントからの配線を同じようにして天板上に導くことが可能となる。
【００５９】
その他、筒状空間を、例えばオプション部材を支持する支持杆の固定場所等として利用するなど、本発明の趣旨を逸脱しない範囲で種々変形が可能である。
【符号の説明】
【００６０】
１…天板
１ａ…長縁辺
１ｂ…短縁辺
１ｃ…上面
２…壁状部（脚）
２ａ…空間形成壁部
２ｃ…端縁
４…ベース
４１…基幹部ケーブルカバー
４２…分岐部ケーブルカバー
Ｃ…コーナー部
ＬＴ…大型テーブル
Ｐ、Ｐ´…集合点
ＳＣ…配線空間
ＳＰ…筒状空間
Ｔ…テーブル
【図１】
0005561817.tif 000002
【図２】
0005561817.tif 000003
【図３】
0005561817.tif 000004
【図４】
0005561817.tif 000005
【図５】
0005561817.tif 000006
【図６】
0005561817.tif 000007
【図７】
0005561817.tif 000008
【図８】
0005561817.tif 000009
【図９】
0005561817.tif 000010
【図１０】
0005561817.tif 000011
【図１１】
0005561817.tif 000012
【図１２】
0005561817.tif 000013
【図１３】
0005561817.tif 000014
【図１４】
0005561817.tif 000015
【図１５】
0005561817.tif 000016
【図１６】
0005561817.tif 000017